(57)【特許請求の範囲】
【請求項１】
港湾口や河口等の水底に防潮用水底基礎を形成し、該水底基礎に平板状をしたゲート本体を、その水底側端部を水平方向の枢支軸を中心にして回動自在に枢支させ、該ゲート本体の先端側を水面上に突出するように起立させることにより防潮壁となすようにしてなるフラップゲート式防潮装置において、
前記ゲート本体背面に、該ゲート本体起立時に、その背面側への回動を阻止する背面支え用の支持脚を、その上端側を該ゲート本体上端側背面に枢着し、下端側を該ゲート本体に沿わせた位置に畳み込み可能に備え、前記支持脚を、前記ゲート本体の水底格納時には該ゲート本体の背面に沿わせた畳み込み状態となし、該ゲート本体の起立時に下端側を該ゲート本体から離反させる方向に開き、該ゲート本体の上端部背面と前記水底基礎との間に起立状態で介在させて倒れ止めさせるようにしたことを特徴としてなるフラップゲート式防潮装置。
【請求項２】
ゲート本体は、それ自体で水底面に沈む構造体となし、その背面に空気の注入により浮力を増加させる浮力体を設置しておき、該浮力体による浮力調整により前記ゲート本体を起立方向に回動させるようにしてなる請求項1に記載のフラップゲート式防潮装置。
【請求項３】
ゲート本体は、中空の函状をなし、内部に注排水することにより浮力調整がなされ、該浮力調整によって前記ゲート本体を起立方向に回動させるようにしてなる請求項１に記載のフラップゲート式防潮装置。
【請求項４】
水底基礎には、支持脚の下端側を、ゲート本体起立時における支え位置まで移動させる支持脚動作手段を備えてなる請求項1、２又は３に記載のフラップゲート式防潮装置。
【請求項５】
支持脚動作手段は、支持脚の下端側を引張する線状の引張材と、これを巻き取るウインチによって構成される請求項４に記載のフラップゲート式防潮装置。
【請求項６】
水底基礎には、ゲート本体及びその背面の支持脚を畳み込み状態で収容する格納凹部を備え、該格納凹部内に支持脚の下端がゲート本体起立時の支え位置に位置決めする支持脚下端位置決め部を備えてなる請求項１〜５のいずれかに記載のフラップゲート式防潮装置。
【発明の詳細な説明】
【０００１】
【発明の属する技術分野】
本発明は、外洋に面した河口部や港湾の出入り口等の水路に設備し、高潮や高波の発生時に水底面からゲート本体を起立させて水路を遮断するフラップゲート式防潮装置に関する。
【０００２】
【従来の技術】
従来、高潮発生時に河川や港湾等の外洋に通じる水路を遮断して水害を未然に防止するための防潮堤には、大別して、常時は水底に沈めておき、高潮発生時に水路を遮断するように上昇させる形式のもの、扉体を支柱に支持させておきこれを上下に移動させることによって水路を開閉する形式のもの、扉体を水路の岸に退避させておき必要時に水路を遮断する位置に移動させる形式のものがある。
【０００３】
この内、水底に沈めておく形式のものの１つとしてフラップゲート式のものがあり、これは図６に示すように、バラストタンクを備えたゲート本体１の下端側を水底基礎２に対し、水平方向の枢支軸３を持って枢着させ、ゲート本体１のバラストタンク内に注水することによって水底に沈み、排水して空気を注入することによりその浮力によって起立方向に動作させ、上端を水面上に突出させるようにしている。
【０００４】
この方式の防潮装置は、大型船舶が航行する広幅の水路に設置する場合であっても、常時水路を分割する支柱が不要であり、また岸辺に退避場所を要しないために港湾設備設置の支障とならない点において有利である。
【０００５】
【発明が解決しようとする課題】
上述した従来のフラップゲート式防潮装置は、ゲート本体の浮力のみで安定性を保持するものであるため、水面上への突出長さが限られ、起立状態のゲート本体を超えて防潮壁内へ流入する水の量が多いという問題があった。
【０００６】
本発明はこのような従来の問題に鑑み、大きな高潮や高波に対しても効果的に対抗させることができ、長大な防潮壁を起立設置する場合でも、ゲート本体の起立動作がスムーズに行なわれるフラップゲート式防潮装置の提供を目的としてなされたものである。
【０００７】
【課題を解決するための手段】
上述の如き従来の問題を解決し、所期の目的を達成するための請求項１の発明は、港湾口や河口等の水底に防潮用水底基礎を形成し、該水底基礎に平板状をしたゲート本体を、その水底側端部を水平方向の枢支軸を中心にして回動自在に枢支させ、該ゲート本体の先端側を水面上に突出するように起立させることにより防潮壁となすようにしてなるフラップゲート式防潮装置において、前記ゲート本体背面に、該ゲート本体起立時に、その背面側への回動を阻止する背面支え用の支持脚を、その上端側を該ゲート本体上端側背面に枢着し、下端側を該ゲート本体に沿わせた位置に畳み込み可能に備え、前記支持脚を、前記ゲート本体の水底格納時には該ゲート本体の背面に沿わせた畳み込み状態となし、該ゲート本体の起立時に下端側を該ゲート本体から離反させる方向に開き、該ゲート本体の上端部背面と前記水底基礎との間に起立状態で介在させて倒れ止めさせるようにしたことを特徴としている。
【０００８】
このように構成することにより、防潮壁を構成するゲート本体は、その背面が支持脚によって支えられた状態となるため、安定性が良くなり、また高潮発生時防潮壁を境にした高い潮位差や、高波発生時の大きな波力に対しても効果的に対抗できる構造とすることができる。
【０００９】
請求項２の発明は、請求項1に記載のフラップゲート式防潮装置において、ゲート本体は、それ自体で水底面に沈む構造体となし、その背面に空気の注入により浮力を増加させる浮力体を設置しておき、該浮力体による浮力調整により前記ゲート本体を起立方向に回動させるようにしたものであり、このように構成することにより、浮力体がゲート本体起立操作時のジャッキとしての役目を果たすこととなり、起立操作が容易となる。
【００１０】
請求項３の発明は、請求項1に記載のフラップゲート式防潮装置において、ゲート本体は、中空の函状をなし、内部に注排水することにより浮力調整がなされ、該浮力調整によって前記ゲート本体を起立方向に回動させるようにしたことにより、ゲート本体自体が起立操作時のジャッキとしての役目を果たすこととなり、起立操作が容易となる。
【００１１】
請求項４の発明は、請求項１〜３に記載のフラップゲート式防潮装置において、水底基礎には、支持脚の下端側を、ゲート本体起立時における支え位置まで移動させる支持脚動作手段を備えたものであり、このようにすることにより、ゲート本体の起立操作を、機械的に遠隔操作によって行うことができる。
【００１２】
請求項５の発明は、請求項４に記載のフラップゲート式防潮装置において、支持脚動作手段は、支持脚の下端側を引張する線状の引張材と、これを巻き取るウインチによって構成するものであり、このようにすることにより、遠隔操作が比較的簡単な装置で可能となり、施工費及び管理費が少なくすむ。
【００１３】
請求項６の発明は、請求項１〜５のいずれかに記載のフラップゲート式防潮装置において、水底基礎には、ゲート本体及びその背面の支持脚を畳み込み状態で収容する格納凹部を備え、該格納凹部内に支持脚の下端がゲート本体起立時の支え位置に位置決めする支持脚下端位置決め部を備えたものであり、このようにすることにより、支持脚の開き状態時の位置決めが容易となる。
【００１４】
【発明の実施の形態】
次に本発明の実施の形態を図面について説明する。
【００１５】
図１は本発明に係るフラップゲート式防潮装置の一例の概略を示しており、同図中符号１０は船舶が航行する水路、１１，１１は該水路１０の岸壁、１２は防潮壁、１３は水路底部に構築した水底基礎である。
【００１６】
防潮壁１２は水路１０の全幅を複数に分割した長さのゲート本体２０，２０……を並べ、各ゲート本体２０，２０間に図示してないがゴムパッキン等の止水材を介在させて連続配置の壁体を構成しているものであり、各ゲート本体２０は、図２に示すように、全体が平板状をなした鋼製の函体をもって構成されている。
【００１７】
各ゲート本体２０の背面にはエアバックからなる複数の浮力体２１が固定されており、各浮力体２１はそれぞれエアホース（図示せず）を通して何れかの岸壁１１側の陸上から空気を注排できるようになっている。
【００１８】
各ゲート本体２０は、複数の支持脚２３，２３によって背面側が支えられることによって倒れ止めされ、これによって高潮や高波に対抗できるようになっている。この各支持脚２３は、図２に示すように、上端が、ゲート本体２０の上端部背面に突設したブラケット２４に対して水平軸２５を介して枢着されており、下端側が、ゲート本体２０に沿うように畳まれた状態から、ゲート本体２０から離反して斜めの支えとなる状態に回動できるようになっている。
【００１９】
水底基礎１３上には、ゲート本体２０が水平配置の向きで収容されるゲート本体格納凹部３０が形成され、その凹部端部にゲート本体２０の下端側が水平方向の枢支軸３２によって枢支されている。
【００２０】
ゲート本体格納凹部３０の底面に、支持脚２３を収容する支持脚格納凹部３１が形成され、これらの格納凹部３０，３１に、ゲート本体２０及び支持脚２３が、ゲート本体２０に対して支持脚２３が背面に沿うように畳まれ、水平の向きに寝かされた状態で格納されるようになっている。
【００２１】
支持脚格納凹部３１の端部に支持脚当接用凸部３３が形成され、この凸部３３が支持脚２３の下端を開き状態で位置決めする支持脚下端位置決め部となっている。この凸部３３に支持脚２３の下端が当接されることにより後方側への移動が阻止され、これによって支持脚２３が支えとなり、ゲート本体２０の背面側への倒れ止めがなされるようになっている。
【００２２】
尚、支持脚２３は、支持脚動作手段によってその下端部がゲート本体起立時における支え位置、即ち、凸部３３に当接するまで移動される。
【００２３】
支持脚動作手段は、支持脚当接用凹部３３より導出して先端部が支持脚２３の下端部に連結された開き側引張材３４と、支持脚格納凹部３１の前端側より導出して先端部が支持脚２３の下端部に連結された畳み側引張材３５とを備え、この両引張材３４，３５はそれぞれウインチ３４ａ，３５ａによって巻き取り及び繰り出し操作できるようになっている。
【００２４】
この支持脚動作手段は、開き側引張材３４を巻き取り操作するとともに、畳み側引張材３５を繰り出し操作することにより、支持脚２３をその下端側を広げる方向、即ちゲート本体２０から離反させる方向に操作することができ、一方、畳み側引張材３５を巻き取り操作するとともに開き側引張材３４を繰り出し操作することにより、支持脚２３をその下端側を畳む方向、即ちゲート本体２０側に近付ける方向に操作することができるようになっている。
【００２５】
尚、支持脚動作手段としては、上述の実施例の他、支持脚２３の下端部に動作用のシリンダーを接続し、該シリンダーによって支持脚２３を動作させてもよい。
【００２６】
このように構成される防潮装置は、通常時は図３に示すように、ゲート本体２０の背面の浮力体２１に空気を注入しない状態に縮小させるとともに支持脚２３をゲート本体背面に沿わせた畳み込み状態で水底に沈め、格納凹部３０，３１内に格納しておく。
【００２７】
この状態から防潮壁となす際には、先ず、図４に示すように、畳み側引張材３５を繰り出しながら浮力体２１内に空気を注入し、その浮力によってゲート本体２０を立ち上げ方向に回動させる。次いで、開き側引張材３５を巻き取り、支持脚２３の下端をゲート本体２０から離反させ、支持脚当接用凸部３３に当接するまで移動させる。
【００２８】
これによってゲート本体２０は、図２に示すように、所定の角度に立ち上げられ、背面が支持脚２３に支えられて倒れ止めされ、防潮壁１２となる。
【００２９】
このようにして起立状態にある防潮壁１２を再び水底に沈める際には、開き側引張材３４を繰り出しつつ畳み側引張材３５を巻き取り、支持脚２３を畳み側に移動させ、この状態で浮力体２１内の空気を徐々に抜いてゲート本体２０を倒す方向に沈め、図３に示すように格納凹部３０，３１内に収容する。
【００３０】
尚、上述の実施例では、ゲート本体２０が、ゲート本体２０の背面側に固定された浮力体２１，２１の浮力により立ち上げ方向に回動される例について説明したが、その他、図５に示すように、ゲート本体４０を中空の函状となし、その内部４１に注排水することにより浮力調整を行うようにしてもよい。このゲート本体４０は、内部４１に注水することにより、水底に沈み込む方向に動作され、排水して内部４１に空気を注入することにより、その浮力で起立方向に動作されるようになる。
【００３１】
また、ゲート本体を中空函状とするとともに、該ゲート本体の背面側に浮力体を固定し、ゲート本体自体の浮力調整機能と浮力体の浮力調整機能とを併用するようにしてもよい。
【００３２】
【発明の効果】
上述のように、本発明に係るフラップゲート式防潮装置は、ゲート本体背面に、該ゲート本体起立時に、その背面側への回動を阻止する背面支え用の支持脚を枢着し、ゲート本体の上端部背面と前記水底基礎との間に起立状態で介在させて倒れ止めさせるようにしたことにより、嵩高のフラップゲート本体であっても安定性よく起立状態が維持でき、高潮や高波に対して安全かつ効果的に対抗させることができる
また、ゲート本体は、それ自体で水底面に沈む構造体となし、その背面に空気の注入により浮力を増加させる浮力体を設置しておき、該浮力体による浮力調整により前記ゲート本体を起立方向に回動させるようにすること、或いはゲート本体を中空の函状となし、内部に注排水することにより浮力調整がなされ、浮力調整によってゲート本体を起立方向に回動させるようにすることにより、支持脚の開き方向の移動によってゲート本体を起立させる構造とすることが容易となり、その際の支持脚移動に要する力も少なくて済み、装置が簡略化される。
【図面の簡単な説明】
【図１】本発明に係るフラップゲート式防潮装置の一例の概略構成を示す平面図である。
【図２】図１中のＡ−Ａ線切断端面図である。
【図３】図１に示すフラップゲート式防潮装置のゲート本体格納時の状態を示す縦断面図である。
【図４】同上のゲート本体起立動作初期の状態を示すの縦断面図である。
【図５】本発明に係るフラップゲート式防潮装置の他の一例の概略構成を示す縦断面図である。
【図６】従来のフラップゲート式防潮装置を示す縦断面図である。
【符号の説明】
１０  水路
１１  岸壁
１２  防潮壁
１３  水底基礎
２０  ゲート本体
２１  浮力体
２３  支持脚
２４  ブラケット
２５  水平軸
３０  ゲート本体格納凹部
３１  支持脚格納凹部
３２  枢支軸
３３  支持脚当接用凸部
３４  開き側引張材
３４ａ  ウインチ
３５  畳み側引張材
３５ａ  ウインチ
４０  ゲート本体
４１  内部
【図１】
0003975463.tif 000002
【図２】
0003975463.tif 000003
【図３】
0003975463.tif 000004
【図４】
0003975463.tif 000005
【図５】
0003975463.tif 000006
【図６】
0003975463.tif 000007